(57)【要約】【課題】フィルターにおける除塵効果を向上する。【解決手段】フィルターの各谷部１５２に挿入可能な挿入部材３０は、各谷部１５２に挿入された状態において、谷部１５２を形成する一方の壁面と接触する一方の接触部と、谷部を形成する他方の壁面と接触する他方の接触部と、を有し、一方の接触部と一方の壁部１５３との接点を一方の接点Ｐ１とし、他方の接触部と他方の壁部１５４との接点を他方の接点Ｐ２とすると、これらの間の距離Ｄ１は、挿入部が前記谷部に挿入されていない状態において谷部１５２における一方の接点Ｐ１と他方の接点Ｐ２との間の間隔Ｄ２よりも大きくされている構成とした。【選択図】図８
2012005543.tif 000002
【特許請求の範囲】
【請求項１】
吸引力を発生する電動送風機と、前記電動送風機に連通し、塵埃を捕集する集塵ケースとを備えた電気掃除機において、
前記集塵ケースの前記電動送風機に連通する側に配置されるプリーツ状のフィルターと、前記フィルターの前記電動送風機に連通する側とは反対側の面における当該フィルターの各谷部に挿入可能な挿入部材とを備え、
前記挿入部材は、
前記各谷部に挿入された状態において、前記谷部を形成する一方の壁面と接触する一方の接触部と、前記谷部を形成する他方の壁面と接触する他方の接触部と、を有し、
少なくとも前記電動送風機の駆動時に前記フィルターの各谷部に挿入され、少なくとも前記電動送風機の停止時に前記フィルターの谷部から引き出し可能であり、
前記一方の接触部と前記一方の壁面との接点を一方の接点とし、前記他方の接触部と前記他方の壁面との接点を他方の接点とすると、
前記挿入部材における前記一方の接点と前記他方の接点との間の距離は、前記挿入部材が前記谷部に挿入されていない状態において、前記谷部における前記一方の接点と前記他方の接点との間の間隔よりも大きくされていることを特徴とする電気掃除機。
【請求項２】
請求項１に記載の電気掃除機において、
前記フィルターは、前記集塵ケースに着脱自在であり、
前記挿入部材は、前記フィルターが前記集塵ケースに装着された状態で、前記フィルターの前記各谷部から引き出されることが前記集塵ケースによって規制されることを特徴とする電気掃除機。
【請求項３】
請求項１に記載の電気掃除機において、
前記挿入部材は、前記各谷部に挿入され、前記一方の接触部と前記他方の接触部とが設けられた棒状部と、前記棒状部の長手方向の両端部を支持する枠部とを備えることを特徴とする電気掃除機。
【請求項４】
請求項３に記載の電気掃除機において、
前記フィルターは、前記集塵ケースに対して着脱自在であり、
前記挿入部材の前記枠部は、前記集塵ケースと前記フィルターの枠体とによって挟持されることを特徴とする電気掃除機。
【発明の詳細な説明】
【技術分野】
【０００１】
本発明は、電気掃除機に関し、特に、塵埃の排出が容易で、しかも、集塵ケースに設けられたプリーツ状のフィルターのメンテナンスの手間を低減することができる電気掃除機に関するものである。
【背景技術】
【０００２】
従来、集塵ケースに集塵された塵埃の排出が容易にでき、フィルターのメンテナンスの手間を低減できる集塵ケースを有する電気掃除機としては、例えば、特許文献１に記載されたものが知られている。
特許文献１の電気掃除機では、捻りばねの付勢力によって除塵バーをプリーツ状のフィルターの谷部に密着させる構成が記載されており、除塵バーをフィルターの谷部から引き出すことにより、谷部に捕集された塵埃を排出することができる。
【先行技術文献】
【特許文献】
【０００３】
【特許文献１】特開２００９−２６８５６３号公報
【発明の概要】
【発明が解決しようとする課題】
【０００４】
前記特許文献１の電気掃除機では、捻りばねの付勢力によって除塵バーを谷部に密着させる構成であるので、付勢力による密着がうまく行われないと、除塵バーと谷部との間に隙間を生じる虞がある。このような隙間を生じると、その隙間を通じて塵埃が谷部の底部に入り込む虞があり、隙間に入り込んだ塵埃は、除塵バーによっては除去できなくなる。
また、例えば、捻りバネによって、軸部側からその反対側に至るまで除塵バーのすべてを谷部に平行になるまで挿入しようとすると、除塵バーの幅を谷部の幅と同等以下にしなければならず、部分的に除塵バーと谷部との間に隙間を生じる虞もある。
【０００５】
また、例えば、除塵バーは、軸部側と反対側が支持されずに自由端となっているため、軸部側からその反対側に至るまで除塵バーのすべてが谷部に平行になるまで挿入されるようにするためには、除塵バーの幅を谷部の幅以下にしなければならず、除塵バーと谷部との間に隙間を生じる虞がある。
また、例えば、プリーツ状のフィルターが軟質な材料で構成されている場合には、谷部の幅が不均一となる。このような谷部に除塵バーを挿入すると、部分的に除塵バーと谷部との間に隙間を生じる虞がある。
【０００６】
そこで、本発明は、前記従来の問題を解決するものであり、集塵ケースに設けられたプリーツ状のフィルター内に挿入可能な挿入部材を備えた電気掃除機において、挿入部材とフィルターの谷部との間の隙間を極力なくして、フィルターにおける除塵効果を向上することができる電気掃除機を提供することにある。
【課題を解決するための手段】
【０００７】
前記課題を解決するために、本発明の電気掃除機は、吸引力を発生する電動送風機と、前記電動送風機に連通し、塵埃を捕集する集塵ケースとを備えた電気掃除機において、前記集塵ケースの前記電動送風機に連通する側に配置されるプリーツ状のフィルターと、前記フィルターの前記電動送風機に連通する側とは反対側の面における当該フィルターの各谷部に挿入可能な挿入部材とを備え、前記挿入部材は、前記各谷部に挿入された状態において、前記谷部を形成する一方の壁面と接触する一方の接触部と、前記谷部を形成する他方の壁面と接触する他方の接触部と、を有し、少なくとも前記電動送風機の駆動時に前記フィルターの各谷部に挿入され、少なくとも前記電動送風機の停止時に前記フィルターの谷部から引き出し可能であり、前記一方の接触部と前記一方の壁面との接点を一方の接点とし、前記他方の接触部と前記他方の壁面との接点を他方の接点とすると、前記挿入部材における前記一方の接点と前記他方の接点との間の距離は、前記挿入部材が前記谷部に挿入されていない状態において、前記谷部における前記一方の接点と前記他方の接点との間の間隔よりも大きくされていることを特徴とする。
【０００８】
この電気掃除機によれば、挿入部材における一方の接点と他方の接点との間の距離は、挿入部材が谷部に挿入されていない状態において、谷部における一方の接点と他方の接点との間の間隔よりも大きくなっているので、挿入部材が各谷部に挿入されると、挿入部材の一方の接触部と他方の接触部とが、谷部の一方の壁部と他方の壁部とをそれぞれ押圧して密着する状態となり、各谷部の底に塵埃が侵入するのを防止することができる。
【発明の効果】
【０００９】
本発明によれば、集塵ケースに設けられるプリーツ状のフィルター内に挿入される挿入部材を備えた電気掃除機において、挿入部材とフィルターの谷部との間の隙間を極力なくして、フィルターにおける除塵効果を向上することができる。
【図面の簡単な説明】
【００１０】
【図１】本発明の第１実施形態の電気掃除機を示した外観斜視図である。
【図２】掃除機本体を示した斜視図である。
【図３】集塵ケースを示した斜視図である。
【図４】集塵ケースを示した断面図である。
【図５】フィルター部材を開いた状態の集塵ケースを背面側から見た斜視図である。
【図６】清掃部材を示した斜視図である。
【図７】清掃部材を示した図であり、（ａ）は前面図、（ｂ）は図７（ａ）のＡ−Ａ線断面、（ｃ）は図７（ａ）のＢ−Ｂ線断面図である。
【図８】（ａ）は挿入部材が挿入されたフィルターの部分拡大断面図、（ｂ）は要部をさらに拡大した断面図、（ｃ）は挿入部材の拡大断面図、（ｄ）は挿入部材が挿入されていない状態のフィルターの拡大断面図、（ｅ）（ｆ）は挿入部材が引き出されるときの様子を示した拡大断面図である。
【図９】（ａ）〜（ｃ）は挿入部材が引き出されるときの様子を示した斜視図である。
【図１０】変形例の清掃部材を示した図であり、（ａ）は前面図、（ｂ）は図１０（ａ）のＡ−Ａ線断面、（ｃ）は図１０（ａ）のＢ−Ｂ線断面図である。
【図１１】清掃部材の取り付け位置を変更した例においてフィルター部材を開いた状態を示した集塵ケースの側面図である。
【図１２】本発明の第２実施形態の電気掃除機における集塵ケースの側面図である。
【図１３】（ａ）〜（ｃ）は作用説明図である。
【図１４】変形例の清掃部材の構造を示した図であり、（ａ）は側面図、（ｂ）は挿入部材を部分的に示した図、（ｃ）は挿入部材の一部を示した斜視図、（ｄ）は作用説明図である。
【図１５】（ａ）〜（ｃ）は清掃部材の棒状部のその他の形状を示した説明図である。
【発明を実施するための形態】
【００１１】
以下、本発明の一実施形態について添付図面を参照して説明する。
図１に示すように、電気掃除機１は、掃除機本体２と、ホース３と、手元操作スイッチＳＷ等が設けられた操作管４と、継手管（管）としての延長管５と、第１の吸込具６および第２の吸込具７とを備えて構成されている。第１の吸込具６の根元部に第２の吸込具７の先端部が接続され、第２の吸込具７の根元部に延長管５の先端部が接続され、延長管５の根元部に操作管４の先端部が接続され、操作管４の根元部にホース３が接続され、ホース３の根元部が掃除機本体２の前端部に接続される。なお、第２の吸込具７は、延長管５と操作管４との間に接続してもよく、なくてもよい。
【００１２】
掃除機本体２の内部には、吸引力を発生させる図示しない電動送風機や、この電動送風機の吸引力で吸引した塵埃を捕集する集塵ケース１０（図２参照）等が内蔵されており、操作管４に設けられた手元操作スイッチＳＷの操作等によって電動送風機の運転の強弱等が切り替えられるようになっている。
なお、以下の説明で各部の方向を言うときには、図２に示す方向を基準とする。
【００１３】
図２に示すように、掃除機本体２の上面には、開閉自在な蓋体２ａが設けられており、蓋体２ａを開くことにより、集塵ケース１０が収容される集塵ケース室２ｂが露出するようになっている。集塵ケース１０は、この集塵ケース室２ｂに対して着脱自在に設けられており、清掃終了後等に定期的に集塵ケース室２ｂから取り出される。そして、集塵ケース１０の内部に捕集された塵埃がごみ箱等に捨てられる。集塵ケース室２ｂは、掃除機本体２の内部の前側に形成され、図示しない電動送風機は、掃除機本体２の内部の後側に配置される。
【００１４】
なお、蓋体２ａは、集塵ケース１０の出し入れ時に開かれ、掃除運転中は、閉じられている。集塵ケース室２ｂに対する集塵ケース１０の着脱方向は、略上下方向であり、集塵ケース室２ｂに集塵ケース１０を収容する際には、集塵ケース１０の後記する蓋部材１２が前側に向くようにして集塵ケース室２ｂに挿入する。
【００１５】
集塵ケース室２ｂにおける塵埃吸い込み方向の上流側には、吸込んだ塵埃がホース３（図１参照）を通じて入ってくる本体吸気口２ｃが設けられている。
また、集塵ケース室２ｂの下流側には、集塵ケース室２ｂと電動送風機が配置される図示しない電動送風機室とを区画する図示しない区画壁が形成され、この区画壁に、集塵ケース１０の後記するフィルター部材１５が対向している。
【００１６】
図３に示すように、集塵ケース１０は、筒状のケース部材１１と、このケース部材１１の前部に回動可能に設けられた蓋部材１２とを備え、ケース部材１１の内部に、空気と塵埃とを分離するメッシュ状のフィルター２０ａ（図４参照）を有する塵埃収容器２０を備えている。また、ケース部材１１の後部にフィルター部材１５（図４参照）が設けられている。ケース部材１１の前部開口は、蓋部材１２によって閉塞され、ケース部材１１の後部開口は、フィルター部材１５（図４参照）によって閉塞される。
【００１７】
ケース部材１１の上面前端には、図３に示すように、蓋開き解除用の操作ボタン１３が設けられている。操作ボタン１３は、略中央部において左右に突設された図示しない支軸部を支点として揺動可能に設けられており、後端に設けられた押圧操作部１３ａを指で押すことにより、前端側に設けられたフック部１３ｂ（図４参照）が蓋部材１２の前面上端に設けられた係止部１２ｅ（図４参照）から外れて、蓋部材１２が開くようになっている。
このような操作ボタン１３の前端上面には、凸状の係合リブ１３ｃが設けられている。この係合リブ１３ｃは、蓋部材１２に回動自在に設けられたシャッター体１４の枠部１４ａに係合可能である。
また、操作ボタン１３の後方には、集塵ケース１０を把持するためのハンドル１６が設けられている。
【００１８】
蓋部材１２は、ケース部材１１の前端下部に設けられたヒンジ部１１ａ周りに回動可能に設けられており、ケース部材１１の操作ボタン１３を操作することによって、前方へ倒れるようにして回動し、ケース部材１１の前部開口を開くようになっている。そして、蓋部材１２が開かれた状態で、ケース部材１１の前部開口を通じて、塵埃収容器２０が突出するようになっている。なお、前部開口部から塵埃収容器２０が突出した状態で、塵埃収容器２０の後部側は、集塵ケース１０内に位置している。ただし、前部開口から塵埃収容器２０が突出した状態で、塵埃収容器２０の後部側も、集塵ケース１０外に位置していてもよい。つまり、塵埃収容器２０の略全体が集塵ケース１０外に位置していてもよい。また、蓋部材１２は、ケース部材１１の前端下部に設けられたヒンジ部１１ａ周りに回動可能に設けられる代わりに、ケース部材１１の前端上部に設けられた図示しないヒンジ部周りに回動可能に設けられてもよい。塵埃収容器２０がなければ、回動可能な蓋部材１２は必須の構成ではない。つまり、集塵ケース１０の前部は、流入口１２ａを除き、閉塞されていてもよい。
【００１９】
シャッター体１４は、図４に示すように、蓋部材１２の流入口１２ａの上方に配置され、掃除機本体２（図２参照、以下同じ）に集塵ケース１０が収容された状態では、突部１４ｂが押圧されることにより、後方へ移動して枠部１４ａが操作ボタン１３の前端上方に位置するように構成されている。これによって、集塵ケース１０を掃除機本体２から取り出す際にハンドル１６を把持する手で誤って押圧操作部１３ａが押圧操作されても、操作ボタン１３の揺動が規制され、前記したフック部１３ｂと係止部１２ｅとの係合が維持される。したがって、集塵ケース１０を掃除機本体２から取り出す際に不意に蓋部材１２が開くことが防止されている。ただし、シャッター体１４は、必須の構成ではない。
【００２０】
蓋部材１２の中央部に開口形成された流入口１２ａは、ホース３（図１参照）に連通しており、この流入口１２ａを通じて、塵埃を含む空気が集塵ケース１０内に流れ込むようになっている。
なお、流入口１２ａには、図４に示すように、その後端開口を閉塞する逆止弁１２ｂが設けられている。逆止弁１２ｂは、合成ゴムなどの弾性材料からなるのが好ましい。逆止弁１２ｂは、塵埃収容器２０に堆積した塵埃が、流入口１２ａからこぼれ落ちないように流入口１２ａの開口を閉塞する。そして、流入口１２ａから空気が流入していない状態では、逆止弁１２ｂが流入口１２ａの開口を閉じた状態にあり、流入口１２ａから空気が流入する状態では、風圧によって逆止弁１２ｂが弾性力に逆らって下流側、つまり集塵ケース１０の内部側へ弾性変形する。これによって、流入口１２ａから空気が流入する状態では、流入口１２ａが開かれる。
【００２１】
塵埃収容器（集塵かご）２０は、ケース部材１１内に配置され、大きめの粗塵を捕集するメッシュ状のフィルター２０ａを有している。塵埃収容器２０の形状は、枠体（支骨）によって形成され、フィルター２０ａは、金属やナイロンなどで構成され、塵埃収容器２０の開口以外の面に被覆または貼着されているのが好ましい。
塵埃収容器２０は、前側が開口し奥側が閉じられる容器状を呈しており（空気の流れ方向の上流側が開口し、下流側が閉じられた形状を呈しており）、蓋部材１２の流入口１２ａ側に開口が向けられて、流入口１２ａから流入してくる塵埃を捕集するようになっている。塵埃収容器２０は、流入口１２ａが形成された側とは反対側へ凹んだ立体的形状を有し、上下に分割された上容器２０Ａと下容器２０Ｂとが後部の蝶番２０Ｃを介して連結されてなる。  塵埃収容器２０の形状は、一つの面が開口したかご形状，立体的形状，箱形状または容器形状であってもよいし、ちりとり形状であってもよい。塵埃収容器２０の断面形状は、略四角形状であってもよいし、略円形状であってもよいし、略三角形状であってもよい。塵埃収容器２０の断面形状は、開口から底面へ向かって、小さくなるのが好ましい。
【００２２】
そして、塵埃収容器２０は、ケース部材１１の底面に装着される基部２６を有しており、この基部２６と下容器２０Ｂとの間に装着されたばね部材１７（図５参照、以下同じ）を介して基部２６に回動可能に支持されている。このばね部材１７は、塵埃収容器２０をケース部材１１の前部開口に向けて押し出す方向に付勢する。ただし、ばね部材１７は必須の構成ではない。ばね部材１７がない場合は、重力によって塵埃収容器２０がケース部材１１から突出することとなる。
そして、塵埃収容器２０は、基部２６と一体的にケース部材１１から取り外すことができる。したがって、簡単に清掃することができる。また、塵埃収容器２０を水洗いしたい場合も、ケース部材１１から取り外した状態で簡単に水洗いが可能で、乾燥する時間も比較的短時間で済む。
【００２３】
上容器２０Ａの後端上部には、図４に示すように、塵埃収容器２０の回動を規制する規制ストッパ２３が設けられている。この規制ストッパ２３は、ケース部材１１の上部内壁に設けられた規制部１１ｃに当接するようになっている。つまり、塵埃収容器２０がケース部材１１の開口部に向けて押し出されるときの、規制ストッパ２３の回動軌跡に規制部１１ｃが位置している。
これによって、塵埃収容器２０がばね部材１７の付勢力によって突き出される方向に回動すると、規制ストッパ２３が規制部１１ｃに当接して回動が規制され、最終的には、上容器２０Ａと下容器２０Ｂとが蝶番２０Ｃを支点として上下方向に開く状態となって回動が規制される。つまり、塵埃収容器２０は、塵埃を捕集するときの空気の流れの方向とは逆の方向に回動されて（突き出されて）開かれるようになっており、これによって、塵埃収容器２０内に捕集された塵埃をごみ箱等に容易に捨てることができるようになっている。
【００２４】
ここで、塵埃収容器１３で捕集された綿ごみなどの軽くてフワフワした繊維塵は、塵埃収容器２０を通過する空気流により、圧縮された固まりとなり易い。また塵埃収容器２０内で圧縮されて固まりとなった繊維塵により、塵埃収容器２０に流入した微細な塵埃の一部も捕集される。これらの圧縮された塵埃の固まりは、電気掃除機１の運転を停止すると空気流による圧縮力がなくなり、圧縮された塵埃の固まりが広がり、塵埃の固まりの体積が大きくなる。
しかし、塵埃収容器２０はその開口に向って広がっており、しかも溜まった塵埃を捨てる際に上容器２０Ａと下容器２０Ｂが開口を拡げるように開放するので、塵埃収容器２０に収容した圧縮された塵埃の固まりが広がった場合でも容易に排出することができる。
この際、塵埃収容器２０に吸引された塵埃は空気流により、圧縮された固まりとなり易く、塵埃収容器２０から開口を通じて排出する際も固まり状となって排出されるので、塵埃収容器２０に設けたメッシュ状のフィルター２０ａには、塵埃の付着や絡み付きが少なく、目詰まりが生じにくい。このため、塵埃収容器２０に溜まった塵埃を捨てるだけで、フィルター２０ａの除塵の手間を防ぐことができる。
【００２５】
フィルター部材１５は、図４に示すように、ケース部材１１の後部に設けられており、図５に示すように、例えば、波形のプリーツ加工されたフィルター１５ｂを備えている。
フィルター１５ｂは、例えば、定格風量で粒径が０．３μｍの粒子に対して９９．９７％以上の粒子捕集率をもち、かつ初期圧力損失が２４５Ｐａ以下の性能をもつエアフィルタ（ＨＥＰＡフィルター(High Efficiency Particulate Air Filter)）である。なお、ＨＥＰＡフィルターの濾紙は、主に直径１〜１０μｍ以下のガラス繊維でできており、繊維の充填率は１０％程度であり、空隙は数１０μｍの大きさをもつ。フィルター１５ｂは、平面状のものが波状に折られた状態で、フィルター部材１５の枠体１５ｋと一体に形成（例えば、インサート成形）される。集塵ケース１０の後部にフィルター部材１５が装着された状態において、フィルター１５ｂのうち集塵ケース１０の内側を向いている面が上流面（前面）であり、フィルター１５ｂのうち集塵ケース１０の外側を向いている面が下流面（後面）である。波形のフィルター１５ｂは、元は平面状であることから、波形のフィルター１５ｂの上流面の山部は、下流面の谷部に相当し、波形のフィルター１５ｂの上流面の谷部は、下流面の山部に相当する。フィルター１５ｂは、左右方向に波形に折られている。つまり、フィルター１５ｂは、左右方向で、山、谷を交互に繰り返している。
フィルター１５ｂがガラス繊維で構成され、フィルター１５ｂの平面状態である厚さが薄いと、波形状態のフィルター１５ｂの山、谷のピッチが乱れ易い。そこで、波形のフィルター１５ｂの上端面および下端面には、フィルター部材１５の枠体１５ｋを構成する樹脂と同一の樹脂によって固定されるのが好ましい。例えば、波形のフィルター１５ｂの上端面および下端面のうちフィルター１５ｂの下流面の谷部を樹脂によって閉塞するのが好ましい、これによって、波形状態のフィルター１５ｂの山、谷のピッチを維持しやすくなる。
【００２６】
本実施形態では、このフィルター部材１５の前部に、フィルター部材１５に捕集された微細塵を清掃するための挿入部材３０が設けられている。
フィルター部材１５は、ケース部材１１の下部に設けられたヒンジ１５ａによりケース部材１１に対して回動可能であり、開閉自在に設けられている。通常、フィルター部材１５は、ケース部材１１の上部に設けられた係止部１８のフックによって閉状態に係止されている。
このようなフィルター部材１５は、前記したフィルター２０ａの下流側に位置して、塵埃収容器２０を通過した細かな微細塵を濾過捕集するようになっている。したがって、塵埃収容器２０のフィルター２０ａの目開きは、フィルター部材１５のフィルター１５ｂの目開きよりも粗く（大きく）なっている。
【００２７】
フィルター部材１５の前面下部には、図５に示すように、左右の支持部材１５ｃ，１５ｃ（一方のみ図示）に支持された支軸１５ｄが設けられている。支軸１５ｄは円柱状を呈しており、この支軸１５ｄには、挿入部材３０の回動腕部３７が係合するようになっている。
【００２８】
挿入部材３０は、フィルター部材１５の支軸１５ｄに回動腕部３７が係合して、フィルター部材１５に対して回動可能に設けられており、支軸１５ｄに対する回動腕部３７の係合を解除することにより、フィルター部材１５から取り外し可能に構成されている。なお、図５においては、フィルター部材１５に挿入部材３０が装着された状態で、フィルター部材１５が開かれた状態を示している。つまり、挿入部材３０の支軸をフィルター部材１５の支軸１５ｄと共用している。
【００２９】
挿入部材３０は、図６に示すように、枠状の基体３０Ａ（枠部）と、この基体３０Ａに支持され、フィルター部材１５（図５参照）のフィルター１５ｂ（図５参照）の間にそれぞれ挿入される複数の棒状部３５と、を備えて構成されている。
基体３０Ａは、略四角形状（図７（ａ）参照）に組まれた枠状体であり、板状の左側部３１および右側部３２と、左側部３１および右側部３２の上端間に渡された上部３３と、左側部３１および右側部３２の下端間に渡された下部３４とを備え、上部３３と下部３４とに支持部３５ｃ，３５ｄを介して複数の棒状部３５が設けられている。
【００３０】
左側部３１および右側部３２の下端部３１ａ，３２ａは、下部３４よりも下方へそれぞれ延設されており、図５に示すように、フィルター部材１５への装着後は、フィルター部材１５側の支持部材１５ｃ，１５ｃの側方にそれぞれ位置するようになっている。これにより、フィルター部材１５に対する挿入部材３０の左右方向の位置ずれが抑制されている。
また、図６に示すように、左側部３１および右側部３２と、棒状部３５との間には、開口Ｓ１，Ｓ２（図６においては左側部３１側のみ図示）が形成されている。この開口Ｓ１，Ｓ２は、後記するように、挿入部材３０の回動により棒状部３５で掻き出した微細塵を捨てる際の捨て口として機能する。
さらに、上部３３と下部３４との間において、左側部３１および右側部３２の中央部間には、棒状の補強部３６が架設されている。この補強部３６は、支持部材３５ｅを介して棒状部３５の長手方向の略中央部分を支持している。
【００３１】
下部３４の下部には、弾性変形可能な断面略Ｃ字形状の回動腕部３７（図７（ｂ）参照）が下方へ向けて突設されている。この回動腕部３７は、フィルター部材１５の下部に設けられた支軸１５ｄ（図５参照）に係合可能であり、係合時には、回動腕部３７に形成された開口３７ａを通じて支軸１５ｄ（図５参照）に嵌め込まれる。ここで、回動腕部３７は、挿入部材３０の後記する回動操作時において支軸１５ｄ（図５参照）の径方向に外れることのないように、支軸１５ｄ（図５参照）に対する十分な保持力を備えている。
【００３２】
このような基体３０Ａ（挿入部材３０）は、図４に示すように、フィルター部材１５がケース部材１１の後端部に閉じられた状態で、ケース部材１１の後端部の収容スペースＳＳ内に収容され、ケース部材１１の内面とフィルター部材１５の枠体１５ｋとによって挟持されるようになっている。よって、基体３０Ａは、集塵ケース１０内に収容される。
収容スペースＳＳは、ケース部材１１の後部の内側の上部が内側に突出することによって形成される。つまり、ケース部材１１の後部の内側の上面に段差を持たせて、挿入部材３０の回動接線方向に対向する面を持たせた。図４に示すように、ケース部材１１の後部の段差は、ハンドル１６の下面に対向するケース部材１１の上面を凹ませることによって形成した。そして、収容スペースＳＳの奥行き、つまりケース部材１１の後端からケース部材１１の後部の段差までの距離は、基体３０Ａの厚さに相当する。これによって、基体３０Ａが収容スペースＳＳ内に収容された際に、基体３０Ａはケース部材１１の後部の段差によって前側への回動が規制される。なお、ケース部材１１の後部の内側の上面を段差とする代わりに、突起やリブを設けてもよい。また、収容スペースＳＳは、ケース部材１１の後部の内側の側面を内側に突出させることによって形成してもよい。
【００３３】
棒状部３５は、フィルター１５ｂ内に挿入可能で谷部１５２（図８（ａ）参照、以下同じ）の内側に配置可能な断面略Ｔ字形状に形成されている。
本実施形態では、フィルター部材１５の各開口部１５１（図８（ａ）参照、以下同じ）と棒状部３５とを、フィルター部材１５に向けて挿入部材３０を回動させたときの回動方向に対応させて配置しており、フィルター部材１５に向けて挿入部材３０を回動させることにより、フィルター１５ｂの各開口部１５１を通じて、図８（ａ）に示すように、壁部１５３と壁部１５４との間に棒状部３５が挿入されるように構成されている。
【００３４】
棒状部３５は、図７（ｃ），図８（ｃ）に示すように、上下方向に延びる縦部３５ａと、この縦部３５ａに直交する横部３５ｂとを備えている。
縦部３５ａは、図８（ｃ）に示すように、下端部３５ａ’が下方へ向けて円弧状に膨出しており、図８（ｂ）に示すように、フィルター１５ｂの谷部１５２の内側の円弧状の底面に当接可能となっている。
横部３５ｂは、図８（ｃ）に示すように、縦部３５ａの左右側方へ突出しており、棒状部３５が谷部１５２の内側に配置された状態で、左右側方の最外部となる部位（後記する、一方の接点Ｐ１と他方の接点Ｐ２と成り得る部位）が、フィルター１５ｂの谷部１５２を形成している壁部１５３，１５４の壁面にそれぞれ当接するように構成されている（図８（ｂ）参照）。
ここで、横部３５ｂの左右側端部は、縦部３５ａの下端部３５ａ’に向けて窄まるテーパ状に傾斜している。
【００３５】
本実施形態では、横部３５ｂの一方の側部（接触部）と一方の壁部１５３の壁面との接点を、一方の接点Ｐ１とし、横部３５ｂの他方の側部（接触部）と他方の壁部１５４の壁面との接点を、他方の接点Ｐ２としたときに、次の関係となるようにしてある。
つまり、棒状部３５における一方の接点Ｐ１と他方の接点Ｐ２との間の距離（棒状部３５における左右方向の最大寸法）をＤ１（図８（ｃ）参照）とし、棒状部３５が谷部１５２に挿入されていない状態において、谷部１５２の一方の壁部１５３と他方の壁部１５４とにおける、一方の接点Ｐ１と他方の接点Ｐ２との間の間隔（棒状部３５における一方の接点Ｐ１と他方の接点Ｐ２とに対応する位置における間隔）をＤ２（図８（ｄ）参照）とすると、これらの関係がＤ１＞Ｄ２となるようにしてある。ただし、Ｄ２に対してＤ１があまりにも大きすぎると、棒状部３５が谷部１５２に挿入される際の抵抗が大きくなるだけでなく、フィルター１５ｂの下流面の谷部１５２の幅が小さくなってしまい、通気抵抗が大きくなりあるいは不通となってしまう。そこで、Ｄ１はＤ２に対してわずかに（１ｍｍ程度）大きければよい。
【００３６】
したがって、図８（ａ）に示すように、棒状部３５がフィルター１５ｂの開口部１５１から内側に挿入されて、これが谷部１５２に押し込まれると、図８（ｂ）に示すように、棒状部３５の横部３５ｂの左右側端部（一方の接点Ｐ１と他方の接点Ｐ２となる部位）が、一方の壁部１５３と他方の壁部１５４とにおける接点Ｐ１，Ｐ２において、それぞれ密着するように当接する。
これにより、谷部１５２は、横部３５ｂよりも底部側（塵埃の流入方向の下流側）が棒状部３５で覆われることとなる。
これにより、フィルター１５ｂに向けて流れてきた微細塵ＤＳは、図８（ｅ）に示すように、横部３５ｂの前面に捕集されて堆積することとなる。
【００３７】
なお、棒状部３５は、図８（ｂ）に示すように、横部３５ｂの左右前端部分が壁部１５３と他方の壁部１５４とに当接して接点Ｐ１，Ｐ２となるので、接点Ｐ１，Ｐ２は、谷部１５２の底面から棒状部３５の前後寸法に相当する、塵埃の流入方向の上流側に距離Ｈ１隔てた部位に位置することとなる。
【００３８】
次に、塵埃収容器２０に捕集した塵埃を捨て、その後、挿入部材３０を用いてフィルター１５ｂを清掃する際の作用について各図を適宜参照して説明する。
まず、塵埃をごみ箱等に捨てる際には、集塵ケース１０のハンドル１６を把持して掃除機本体２の集塵ケース室２ｂから集塵ケース１０を取り出し、操作ボタン１３の押圧操作部１３ａ（図３参照）を押圧操作する。
そうすると、図４に示すように、フック部１１ｅが蓋部材１２の係止部１２ｅから外れ、蓋部材１２が開かれる。このとき、図５に示すように、蓋部材１２は、ばね部材１７により付勢された塵埃収容器２０によって前方へ押圧され、ヒンジ部１１ａを中心として回動して開く。これとともに、ばね部材１７によって前方へ突き出された塵埃収容器２０は、規制ストッパ２３が規制部１１ｃ（図４参照）に当接して回動が規制されるとともに、上下に分割された上容器２０Ａと下容器２０Ｂとが後部の蝶番２０Ｃを介して上下方向に開かれる。これによって、塵埃収容器２０の内側に捕集された塵埃が前方に放り出され、塵埃が排出される。
【００３９】
その後、集塵ケース１０のケース部材１１の上部に設けられた係止部１８を操作して、閉状態に係止されているフィルター部材１５の係止を解除する。
これにより、図５に示すように、フィルター部材１５がケース部材１１の後方へ自重により回動し、フィルター部材１５と一体的に回動した挿入部材３０が、その前部を後方へ向けて倒れる。
【００４０】
その後、図９（ａ）に示すように、フィルター部材１５に装着されている挿入部材３０を、図９（ｂ）に示すように、フィルター部材１５に対して徐々に回動させ、フィルター部材１５から挿入部材３０を起立させる。
そうすると、図８（ｅ）に示すように、フィルター１５ｂの谷部１５２に位置していた棒状部３５が、挿入部材３０の回動に伴って、図８（ｆ）に示すように、谷部１５２から開口部１５１へ向けて移動する。
【００４１】
ここで、谷部１５２は、棒状部３５の横部３５ｂで仕切られており、横部３５ｂから底部側が棒状部３５で覆われているので、前記した塵埃収容器２０のフィルター２０ａ（図４参照）を通過した微細塵ＤＳは、図８（ｅ）に示すように、上流側となる横部３５ｂの前面に捕集されて堆積している。
また、図８（ｂ）〜（ｃ）に示すように、棒状部３５における接点Ｐ１，Ｐ２間の距離Ｄ１が、谷部１５２の一方の壁部１５３と他方の壁部１５４とにおける接点Ｐ１，Ｐ２間の間隔Ｄ２よりも大きくなっているので、棒状部３５が開口部１５１に向けて移動を開始した後、壁部１５３，１５４間の間隔が距離Ｄ１よりも大きくなる位置まで棒状部３５が移動するまでは、横部３５ｂの左右側端部と壁部１５３，１５４との当接状態が維持されることとなる。
【００４２】
したがって、挿入部材３０の回動に伴い、図８（ｆ）に示すように、谷部１５２から開口部１５１へ向けて棒状部３５が移動する過程で微細塵ＤＳは、横部３５ｂによって掻き出されるようにして開口部１５１へ向けて移動し、その後、開口部１５１からフィルター１５ｂの外部へと排出されることとなる。
排出された微細塵ＤＳは、基体３０Ａの前側の開口や開口Ｓ１，Ｓ２を通じて挿入部材３０から排出される。
【００４３】
なお、塵埃収容器２０のフィルター２０ａを通過した微細な塵埃は、ケース部材１１の後部のフィルター１５ｂの上流側に付着する。付着した微細塵は電気掃除機１（図１参照）の運転が終了するとその一部が落下してケース部材１１（図４参照）内に堆積する。下部に堆積した微細塵は、基部２６（図４参照）とケース部材１１（図４参照）との間に形成された図示しない通路を通って塵埃収容器２０の前面側から排出可能である。
【００４４】
以下に本実施形態の作用効果について説明する。
（１）本実施形態の電気掃除機１によれば、挿入部材３０の棒状部３５における一方の接点Ｐ１と他方の接点Ｐ２との間の距離Ｄ１は、棒状部３５が谷部１５２に挿入されていない状態において、谷部１５２における一方の接点Ｐ１と他方の接点Ｐ２との間の間隔Ｄ２よりも大きくなっているので、棒状部３５が各谷部１５２に挿入されると、棒状部３５の横部３５ｂの左右側端部が、谷部１５２の一方の壁部１５３と他方の壁部１５４とにそれぞれ押圧して密着する状態となり（一方の壁部１５３と他方の壁部１５４との間を弾性的に押し広げながら棒状部３５が挿入される状態となり）、これによって、各谷部１５２の底部に塵埃が侵入するのを好適に防止することができる。
したがって、棒状部３５によってフィルター１５ｂに捕集された微細塵ＤＳを確実に除去することができ、フィルター１５ｂにおける除塵効果を向上することができる。
また、プリーツ状のフィルター１５ｂが軟質な材料（例えば、ガラス繊維）で構成されている場合でも、谷部１５２の幅（ピッチ）が不均一となるのを、各谷部１５２に対して押圧して挿入された棒状部３５の横部３５ｂで好適に抑えることができ、谷部１５２と棒状部３５との間に隙間が形成されるのを好適に防止することができる。したがって、除塵効果を向上することができる。フィルター１５ｂの上端面および下端面が樹脂によって固定されている場合でも、フィルター１５ｂの上端と下端の間の中間（特に中央付近）では、谷部１５２の幅（ピッチ）が不均一となることがある。本実施形態の電気掃除機１では、フィルター１５ｂの上端と下端の間の中間の谷部１５２にも棒状部３５が挿入されるため、フィルター１５ｂの上端と下端の間の中間の谷部１５２の幅（ピッチ）が不均一となるのも好適に抑えることができる。
（２）棒状部３５における距離Ｄ１が、谷部１５２における間隔Ｄ２よりも大きくなっていることで、挿入部材３０の回動による棒状部３５の移動が開始された後は、壁部１５３，１５４間の間隔が距離Ｄ１よりも大きくなる位置までは、横部３５ｂの左右側端部と壁部１５３，１５４との当接状態が維持されることとなるので、谷部１５２から開口部１５１へ向けて棒状部３５が移動する際に、微細塵ＤＳが横部３５ｂによって好適に掻き出されるようになり、これを開口部１５１からフィルター１５ｂの外部へ好適に排出することができる。
したがって、各谷部１５２の底部に塵埃が侵入するのを好適に防止することができ、フィルター１５ｂにおける除塵効果を向上することができる。
（３）棒状部３５は、フィルター１５ｂ（フィルター部材１５）が集塵ケース１０（ケース部材１１）に装着された状態で、フィルター１５ｂの各谷部１５２から引き出されることが集塵ケース１０によって規制されるようになっているので、電気掃除機１による清掃中は各谷部１５２に好適に位置することとなり、各谷部１５２の底部に塵埃が侵入するのを好適に防止することができる。
したがって、ゴミ捨て時には、棒状部３５によってフィルター１５ｂに捕集された微細塵ＤＳを確実に除去することができる。
（４）棒状部３５は、基体３０Ａによってその長手方向の両端部が支持されているので、棒状部３５のすべてを谷部１５２に対して略平行になるまで挿入することができ、棒状部３５が谷部１５２の壁部１５３，１５４に略均一に密着して、これらの間に隙間を生じることが防止される。
したがって、フィルター１５ｂに捕集された微細塵ＤＳを確実に除去することができ、フィルター１５ｂにおける除塵効果を向上することができる。
また、基体３０Ａの上部３３と下部３４との間において、左側部３１および右側部３２の中央部間に架設した補強部３６によって、棒状部３５が補強されているので、谷部１５２への挿入時や引き出し時に棒状部３５の反り等が抑えられることとなり、棒状部３５の好適な移動を実現することができる。したがって、除塵効果を向上することができる。
（５）挿入部材３０は、各谷部１５２に挿入される棒状部３５と、この棒状部３５の長手方向の両端部を支持する基体３０Ａとを備えてなるので、構成が簡単であり、一体成形等により簡単に形成することができる。
（６）挿入部材３０（基体３０Ａ）は、図４に示すように、フィルター部材１５がケース部材１１の後端部に閉じられた状態で、ケース部材１１の後端部の収容スペースＳＳ内に収容され、ケース部材１１の内面とフィルター部材１５の枠体１５ｋとによって挟持されるようになっているので、ケース部材１１の後端部におけるスペースを有効に利用して配置することができ、集塵ケース１０の大型化を招くことなく、フィルター１５ｂにおける除塵効果を向上することができる。特に、本実施形態の電気掃除機１では、挿入部材３０の棒状部３５における一方の接点Ｐ１と他方の接点Ｐ２との間の距離Ｄ１は、棒状部３５が谷部１５２に挿入されていない状態において、谷部１５２における一方の接点Ｐ１と他方の接点Ｐ２との間の間隔Ｄ２よりも大きくなっているので、棒状部３５が各谷部１５２に挿入される際に棒状部３５は各谷部１５２からの抵抗を受ける。このとき、基体３０Ａの厚さに一致する奥行きを有する収容スペースＳＳによって挿入部材３０の前側への回動が規制されることとなるため、ケース部材１１に対してフィルター部材１５を閉じる操作を行うと、それと同時に棒状部３５が各谷部１５２の底部まで挿入される。つまり、挿入部材３０がケース部材１１の内側の突出部（段差、突起、リブなど）とフィルター部材１５の枠体１５ｋとによって挟み込まれることによって、棒状部３５が各谷部１５２の底部まで挿入される。これによって、使用者は、棒状部３５を各谷部１５２の底部まで簡単に挿入することができる。
（７）棒状部３５の横部３５ｂは、その左右側端部が、縦部３５ａの下端部３５ａ’に向けて窄まるテーパ状に傾斜しているので、壁部１５３，１５４に対して好適に密着し、また、谷部１５２から開口部１５１へ向けて棒状部３５が移動する際に、微細塵ＤＳが横部３５ｂによって好適に掻き出される。したがって、除塵効果を向上することができる。
【００４５】
なお、本実施形態では、基体３０Ａの上部３３と下部３４との間において、左側部３１および右側部３２の中央部間に補強部３６を架設したが、これに限定されるものではなく、図１０（ａ）〜（ｃ）に示すように、補強部３６を排除して、上下方向（長手方向）に連続する縦部３５ａと横部３５ｂとを有するように棒状部３５を構成してもよい。
この場合には、補強部３６が設けられていない分、棒状部３５の長手方向略全体に亘って横部３５ｂを設けることができ、フィルター１５ｂの各谷部１５２に棒状部３５を好適に配置することができ、各谷部１５２の底部を棒状部３５で好適に覆うことができる。したがって、各谷部１５２の底部側に微細塵ＤＳが入り込むのを好適に防止することができる。
【００４６】
また、本実施形態では、フィルター部材１５に回動可能に挿入部材３０を支持したが、これに限られることはなく、図１１に示すように、ケース部材１１の左右側部１１ｆ，１１ｆ（一方のみ図示）間に軸部材１１ｇを架設し、これを回動軸として、挿入部材３０を回動可能に設けてもよい。
この場合には、フィルター部材１５と挿入部材３０との回動軸が異なる位置となっているので、フィルター１５ｂと挿入部材３０とを相互に分離させることが可能となり、フィルター部材１５に捕集された微細塵を、フィルター１５ｂから確実に掻き出すことができる。
【００４７】
図１２は本発明の第２実施形態の電気掃除機における集塵ケースの側面図である。本実施形態が前記第１実施形態と異なるところは、挿入部材３０をケース部材１１’とは別のケース１１Ａで覆い、このケース１１Ａをケース部材１１’の後端部にヒンジ部１０ａ’を介して回動可能に設けるとともに、同じヒンジ部１０ａ’を介してフィルター部材１５をケース１１Ａに対して回動可能に開閉自在に設けた点である。
【００４８】
具体的に、ケース１１Ａは、ヒンジ部１０ａ’の回動支軸１０ｊに支持片３８が支持されて回動支軸１０ｊを中心として回動可能に設けられており、内側には挿入部材３０が支持されている。
また、ヒンジ部１０ａ’の回動支軸１０ｊには、フィルター部材１５の支持片１５ｈが支持されており、回動支軸１０ｊを中心としてフィルター部材１５が回動可能に設けられている。
すなわち、挿入部材３０とフィルター部材１５とは、回動支軸１０ｊを介して同軸上で回動可能であり、ケース１１Ａにフィルター部材１５が閉じられることで、フィルター部材１５のフィルター１５ｂの図示しない谷部１５２に対して挿入部材３０の棒状部３５が挿入されるように構成されている。
【００４９】
本実施形態では、ケース部材１１’の上部に設けられた係止部１８’が前記第１実施形態で説明した係止部１８よりも後方へ延設されており、ケース１１Ａにフィルター部材１５が閉じられた状態で、係止部１８’のフックによってフィルター部材１５が閉状態に係止されるようになっている。
つまり、ケース１１Ａに支持される挿入部材３０は、フィルター部材１５がケース１１Ａに閉じられた状態で、ケース部材１１’とフィルター部材１５の枠体１５ｋとによって挟持されるようになっている。
よって、前記した第１実施形態の電気掃除機１では、挿入部材３０が、ケース部材１１の内側の突出部とフィルター部材１５の枠体１５ｋとによって挟持されるのに対して、この第２実施形態の電気掃除機１では、挿入部材３０が、ケース部材１１’の後端面とフィルター部材１５の枠体１５ｋとによって挟持される。
【００５０】
このような構成において、挿入部材３０によりフィルター１５ｂを清掃する際には、図１３（ａ）に示すように、フィルター部材１５が閉状態に係止されている状態で、集塵ケース１０のケース部材１１’の上部に設けられた係止部１８’を操作して、フィルター部材１５の係止を解除する。
そうすると、図１３（ｂ）に示すように、フィルター部材１５がケース部材１１’の後方へ自重により回動し、フィルター部材１５と一体的に回動した挿入部材３０が、その前部を後方へ向けて倒れる。
【００５１】
その後、図１３（ｃ）に示すように、フィルター部材１５に装着されている挿入部材３０を、フィルター部材１５に対して回動させて、フィルター部材１５から起立させる。
これにより、挿入部材３０の回動に伴って、前記した図８（ｆ）と同様にして、谷部１５２から開口部１５１へ向けて棒状部３５が移動し、微細塵ＤＳが、横部３５ｂによって掻き出されるようにして開口部１５１へ向けて移動する。これにより、開口部１５１からフィルター１５ｂの外部へと微細塵ＤＳが排出される。
【００５２】
このような構成によれば、第１実施形態で説明した作用効果に加えて、次のような作用効果が得られる。
つまり、挿入部材３０とフィルター部材１５とは、回動支軸１０ｊを介して同軸上で回動可能であるので、第１実施形態で示したものに比べてさらに構成がシンプルになり、回動等の操作性も向上する。また、構成がシンプルであるので、組付性に優れ生産性の向上が図れる。
また、第１実施形態では、挿入部材３０の外郭を形成する基体３０Ａが、集塵ケース１０内に収容されるため、挿入部材３０の外郭を形成する基体３０Ａが、集塵ケース１０内に吸い込まれた塵埃によって汚れ易い。よって、フィルター部材１５の各谷部１５２から挿入部材３０の棒状部３５を分離する際に、使用者の手が汚れる虞がある。これに対し、第２実施形態では、挿入部材３０の外郭を形成するケース１１Ａが、集塵ケース１０の外側にあるため（集塵ケース１０の外表面の一部を形成するため）、挿入部材３０の外郭を形成するケース１１Ａが、集塵ケース１０内に吸い込まれた塵埃によって汚れる虞が少ない。よって、フィルター部材１５の各谷部１５２から挿入部材３０の棒状部３５を分離する際に、使用者の手が汚れる虞が少ない。
しかしながら、第１実施形態では、気密部材の必要な面（気密面）が、ケース部材１１の後端面とフィルター部材１５の枠体１５ｋの前面との間の一箇所であるのに対して、第２実施形態では、気密面が、ケース部材１１の後端面とケース１１Ａの前面との間、およびケース１１Ａの後面とフィルター部材１５の枠体１５ｋの前面との間の二箇所であるため、第１実施形態は、第２実施形態に比較して、気密を高めるのが容易である。
【００５３】
図１４各図に変形例の清掃部材の構造を示す。この変形例では、フィルター部材１５のプリーツ状のフィルター１５ｂに沿って挿入部材３０’がスライド可能に構成されている（図１４（ａ）（ｄ）参照）。
図１４（ａ）に示すように、フィルター部材１５のフィルター１５ｂの側方には、フィルター１５ｂの長手方向に沿う案内溝１５ｍが形成されており、この案内溝１５ｍに係合する係合部３９が、挿入部材３０’側の左側部３１，右側部３２（右側部３２のみ図示）に設けられている。
案内溝１５ｍの一端には係合部３９が係止される段部１５ｎが連続して形成されている。この変形例では、段部１５ｎに係合部３９が係合された状態で、挿入部材３０’がフィルター部材１５に係止されるようになっている。
【００５４】
挿入部材３０’における棒状部３５の一端側の支持部３５ｃには、図１４（ｂ）（ｃ）に示すように、支持部３５ｃに直交するように略三角形状のスペース部材３５ｇが一体的に形成されている。このスペース部材３５ｇは、フィルター１５ｂの壁部１５３，１５４（図８（ａ）参照、以下同じ）の間に棒状部３５が挿入されると、フィルター１５ｂの一端において、壁部１５３，１５４間に位置し、後記するように、挿入部材３０’のスライド操作によって、壁部１５３，１５４間に捕集された微細塵ＤＳをフィルター１５ｂの長手方向に沿って掻き出す役割をなす。
【００５５】
このような構成において、挿入部材３０’によりフィルター１５ｂを清掃する際には、図１４（ｄ）に示すように、フィルター部材１５に対して装着されている挿入部材３０’を、ケース部材１１から離れる側に手で引っ張ってスライド移動させる。
そうすると、フィルター１５ｂの一端において、壁部１５３，１５４間に位置するスペース部材３５ｇが、壁部１５３，１５４（図８参照）間をフィルター１５ｂの長手方向に沿って移動し、その移動に伴って、壁部１５３，１５４間に捕集されていた微細塵ＤＳがフィルター１５ｂの長手方向に沿って掻き出される。
これにより、フィルター１５ｂの外部へと微細塵ＤＳが排出される。
【００５６】
このような構成によれば、挿入部材３０’を直線方向にスライド移動させるという簡単な操作で、フィルター１５ｂの外部へ微細塵ＤＳを排出することができ、微細塵ＤＳの排出操作が行い易いという利点が得られる。
【００５７】
以上本発明の電気掃除機１について説明したが、本発明は前記実施形態に限られることはなく適宜変更して実施可能である。
例えば、棒状部３５は、前記した断面略Ｔ字形状のものに限られることはなく、図１５（ａ）に示すように、断面円形状の棒状部３５Ａとしてもよいし、図１５（ｂ）に示すように、断面略三角形状の棒状部３５Ｂとしてもよいし、さらに、図１５（ｃ）に示すように、上下で膨出の度合いを異ならせた丸型膨出形状の棒状部３５Ｃとしてもよい。なお、これらの図においては、前記した棒状部３５に対応するようにＤ１，Ｈ１を記載した。
また、棒状部３５の形状は、谷部１５２に密着可能で、谷部１５２に微細塵が侵入するのを防止する形状であれば、四角形状、多角形状等、任意に設定することができる。
【００５８】
本発明は、塵埃収容器２０を備えない集塵ケース１０にも利用できる。さらに、本発明は、フィルター部材１５が回動可能に集塵ケース１０に設けられていないもの、例えば、フィルター部材１５が集塵ケース１０にはめ込んで取り付けられ、そして分離できるものにも利用できる。さらに、本発明は、集塵ケース１０に設けられないフィルター部材１５、例えば、流路内に設けられたフィルター部材１５にも利用できる。
【符号の説明】
【００５９】
１      電気掃除機
２      掃除機本体
１０    集塵ケース
１１    ケース部材
１５    フィルター部材
１５ｂ  フィルター
３０    挿入部材
３０Ａ  基体
３５    棒状部
３５Ａ  棒状部
３５Ｂ  棒状部
３５Ｃ  棒状部
３５ａ  縦部
３５ｂ  横部
１５２  谷部
１５３  壁部
１５４  壁部
Ｄ１    距離
Ｄ２    間隔
Ｐ１    接点
Ｐ２    接点
【図１】
2012005543.tif 000003
【図２】
2012005543.tif 000004
【図３】
2012005543.tif 000005
【図４】
2012005543.tif 000006
【図５】
2012005543.tif 000007
【図６】
2012005543.tif 000008
【図７】
2012005543.tif 000009
【図８】
2012005543.tif 000010
【図９】
2012005543.tif 000011
【図１０】
2012005543.tif 000012
【図１１】
2012005543.tif 000013
【図１２】
2012005543.tif 000014
【図１３】
2012005543.tif 000015
【図１４】
2012005543.tif 000016
【図１５】
2012005543.tif 000017